(57)【要約】【課題】急な降雨時においても屋外で干されている洗濯物を採り入れることなく、そのまま屋外で干し続けることができる洗濯物覆い用カバーを提供する。【解決手段】合成樹脂製のシートを材料に用いて作られ、物干し竿１に掛けられた洗濯物２を上方、前方、後方から覆う中央のカバー部５と、この中央のカバー部５の両側に結合され物干し竿１に掛けられた洗濯物２を側方から覆う両側のカバー部６とから構成した。【選択図】　　　　図３
2004016531.tif 000002
【特許請求の範囲】
【請求項１】
合成樹脂製のシートを材料に用いて作られ、物干し竿に掛けられた洗濯物を上方、前方、後方から覆う中央のカバー部と、この中央のカバー部の両側に結合され物干し竿に掛けられた洗濯物を側方から覆う両側のカバー部とからなることを特徴とする洗濯物覆い用カバー。
【請求項２】
中央のカバー部の両側に両側のカバー部を結合させた状態と、中央のカバー部を用いずに両側のカバー部同士を結合させた状態とを適宜選択して使用可能に構成したことを特徴とする請求項１記載の洗濯物覆い用カバー。
【請求項３】
洗濯物を側方から覆う両側のカバー部は幅方向の中心部において上端近傍から下端に亘って開閉自在に切り離されており、この切り離し部の上端に丸孔状の支持部が形成されて、この支持部が物干し竿に嵌められて物干し竿に掛けられるように構成され、前記切り離し部をファスナーあるいはホックなどにより閉じるように構成したことを特徴とする請求項１または２記載の洗濯物覆い用カバー。
【発明の詳細な説明】
【０００１】
【発明の属する技術分野】
本発明は物干し竿に掛けられた洗濯物を降雨時に覆うための洗濯物覆い用カバーに関するものである。
【０００２】
【従来の技術】
従来から洗濯物は物干し竿に掛けられて屋外で干されるのであるが、急な降雨時においては半乾きのまま洗濯物を採り入れ、半乾きの状態の洗濯物を屋内で椅子などに掛けて乾かす場合がある。
【０００３】
しかしながら、半乾きの状態の洗濯物が多いと洗濯物を掛ける場所がなくなり、屋内に物干し竿を持ち込み室内に掛け渡した物干し竿に再び半乾きの状態の洗濯物を掛け直すなどしているが、その作業は非常に面倒であった。
【０００４】
【発明が解決しようとする課題】
本発明はこのような課題を解決するもので、急な降雨時においても屋外で干されている洗濯物を採り入れることなく、そのまま屋外で干し続けることができる洗濯物覆い用カバーを提供することを目的とするものである。
【０００５】
【課題を解決するための手段】
この課題を解決するために本発明は、合成樹脂製のシートを材料に用いて作られ、物干し竿に掛けられた洗濯物を上方、前方、後方から覆う中央のカバー部と、この中央のカバー部の両側に結合され物干し竿に掛けられた洗濯物を側方から覆う両側のカバー部とからなることを要旨とするものである。また本発明は、中央のカバー部の両側に両側のカバー部を結合させた状態と、中央のカバー部を用いずに両側のカバー部同士を結合させた状態とを適宜選択して使用可能に構成したことを要旨とするものである。さらに本発明は、洗濯物を側方から覆う両側のカバー部は幅方向の中心部において上端近傍から下端に亘って開閉自在に切り離されており、この切り離し部の上端に丸孔状の支持部が形成されて、この支持部が物干し竿に嵌められて物干し竿に掛けられるように構成され、前記切り離し部をファスナーあるいはホックなどにより閉じるように構成したことを要旨とするものである。
【０００６】
この構成により、雨が降り出してきたときは洗濯物覆い用カバーを洗濯物を覆い包むように物干し竿にセットすることにより、洗濯物を採り入れることなく、そのまま屋外で干し続けることができる。
【０００７】
【発明の実施の形態】
以下、本発明の実施の形態について、図面に基づいて説明する。
先ず、図１〜図４に示す第１の実施の形態について説明すると、１は洗濯物２を直接掛けたり、ハンガー３などを用いて間接的に掛ける物干し竿で、この物干し竿１の両端は竿受け（図示せず）で受けられている。
【０００８】
４は物干し竿１に掛けられた洗濯物２を竿毎覆う洗濯物覆い用カバーで、合成樹脂製のシートを材料に用いて作られている。この洗濯物覆い用カバー４は具体的には物干し竿１に掛けられた洗濯物２を上方、前方、後方から覆う中央のカバー部５と、この中央のカバー部５の両側に結合され物干し竿１に掛けられた洗濯物２を側方から覆う両側のカバー部６とからなり、カバー部６の下端を除く周縁部がカバー部５の両側の端縁部にヒートシールにより接合されている。そして、前記両側のカバー部６は幅方向の中心部において上端近傍から下端に亘って開閉自在に切り離されている。７はこの切り離し部で、この切り離し部７の上端に丸孔状の支持部８が形成されている。洗濯物覆い用カバー４は両側のカバー部６の切り離し部７を開いた状態で丸孔状の支持部８が物干し竿１に嵌るようにして物干し竿１に掛けられ、洗濯物覆い用カバー４により物干し竿１に掛けられた洗濯物２を包み込む。なお、洗濯物覆い用カバー４が物干し竿１に掛けられたままでは両側のカバー部６は切り離し部７で開いた状態にあるので、最終的には切り離し部７をファスナー９により閉じるようにする。ところで、前記カバー部５において、洗濯物２を後方から覆う部分５ａには高さ方向中間部に空気孔１０が形成されており、物干し竿１に掛けられた洗濯物２を包み込んだ状態における洗濯物覆い用カバー４の内部の湿気を外部に逃がすようにしてある。
【０００９】
上記構成において、洗濯物２は通常は物干し竿１に掛けられた状態で洗濯物覆い用カバー４によって覆われていないが、雨が降り出してきたときは洗濯物覆い用カバー４を洗濯物２を覆い包むように物干し竿１にセットし、両側のカバー部６の切り離し部７をファスナー９により閉じることにより物干し竿１に掛けられた洗濯物２は雨に濡れることがなく、そのまま屋外で干すことができる。なお、洗濯物覆い用カバー４を洗濯物２を覆い包むように物干し竿１にセットするとき、洗濯物２の干し場がバルコニーの場合はバルコニーへの出入口側に洗濯物２を後方から覆う中央のカバー部５の部分５ａを位置させておくことにより前記空気孔１０からの雨のふき込みを防止できる。
【００１０】
次に、図５〜図７に示す第２の実施の形態について説明すると、前記第１の実施の形態では両側のカバー部６の下端を除く周縁部が中央のカバー部５の両側の端縁部にヒートシールにより接合されているが、第２の実施の形態では両側のカバー部６の下端を除く周縁部を中央のカバー部５の両側の端縁部にホック１１により脱着自在に結合させるようにしている。そして、前記第１の実施の形態では前記両側のカバー部６の幅方向の中心部の切り離し部７をファスナー９により閉じるようにしているが、第２の実施の形態ではホック１２により脱着自在に結合させるようにしている。さらに、前記第１の実施の形態では洗濯物２を包み込んだ状態における洗濯物覆い用カバー４の内部の湿気を外部に逃がすために、洗濯物２を後方から覆う中央のカバー部５の部分５ａには高さ方向中間部に空気孔１０が形成されているが、第２の実施の形態では空気孔１０を設けずに洗濯物２を後方から覆う中央のカバー部５の部分５ａの下端を上方に捲り上げ、捲り上げた上端を中央のカバー部５の両側の端縁部にホック１１止めすることにより後方から覆う中央のカバー部５の部分５ａの下側の開口部から洗濯物覆い用カバー４の内部の湿気を外部に逃がすように構成されている。
【００１１】
ところで、上記２つの実施の形態では洗濯物覆い用カバー４を洗濯物２を覆い包むように物干し竿１にセットするために前記両側のカバー部６は幅方向の中心部において上端近傍から下端に亘って開閉自在に切り離されているが、特に第２の実施の形態のように中央のカバー部５と両側のカバー部６をホック１１により脱着自在に結合させるタイプのものにあっては両側のカバー部６を幅方向の中心部において上端近傍から下端に亘って開閉自在に切り離す必要がなく、上端近傍に丸孔状の支持部が形成されていれば、両側のカバー部６の丸孔状の支持部を物干し竿１の両端から嵌め合わせ、その後、両側のカバー部６を中央のカバー部５にホック１１により結合させれば使用可能となる。
【００１２】
次に、図８〜図９に示す第３の実施の形態について説明すると、両側のカバー部６の内、一側のカバー部６のホックを雄型とし、この一側のカバー部６に繋がれる中央のカバー部５の一側のホックを雌型とし、中央のカバー部５の他側のホックを雄型とし、この中央のカバー部５の他側に繋がれる他側のカバー部６のホックを雌型として、中央のカバー部５を用いずに一側のカバー部６の雄型のホック１１ａと他側のカバー部６の雌型のホック１１ｂとを結合させることにより、物干し竿１に掛けられた多数の洗濯鋏を持つハンガー１３の上から両側のカバー部６で覆うようにすることも可能である。なお、この第３の実施の形態では両側のカバー部６は幅方向の中心部において上端近傍から下端に亘って切り離されていない。
【００１３】
【発明の効果】
以上のように本発明によれば、雨が降り出してきたときは洗濯物覆い用カバーを洗濯物を覆い包むように物干し竿にセットすることにより、洗濯物を採り入れることなく、そのまま屋外で干し続けることができる。また、洗濯物を側方から覆うカバー部は幅方向の中心部において上端近傍から下端に亘って開閉自在に切り離されて、この切り離し部の上端に形成された丸孔状の支持部が物干し竿に嵌められて物干し竿に掛けられることにより物干し竿に対する洗濯物覆い用カバーのセットが行なえ、取り扱いが容易である。
【図面の簡単な説明】
【図１】本発明の第１の実施の形態における洗濯物覆い用カバーを物干し竿にセットする始めの状態を示す斜視図である。
【図２】同洗濯物覆い用カバーを物干し竿にセットする途中の状態を前方から示す斜視図である。
【図３】同洗濯物覆い用カバーを物干し竿にセットした状態を前方から示す斜視図である。
【図４】同洗濯物覆い用カバーを物干し竿にセットした状態を後方から示す斜視図である。
【図５】本発明の第２の実施の形態における洗濯物覆い用カバーを物干し竿にセットする途中の状態を前方から示す斜視図である。
【図６】同洗濯物覆い用カバーを物干し竿にセットした状態を前方から示す斜視図である。
【図７】同洗濯物覆い用カバーを物干し竿にセットした状態を後方から示す斜視図である。
【図８】本発明の第３の実施の形態における洗濯物覆い用カバーを物干し竿にセットする途中の状態を示す斜視図である。
【図９】同洗濯物覆い用カバーを物干し竿にセットした状態を示す斜視図である。
【符号の説明】
１　　　　　　　物干し竿
２　　　　　　　洗濯物
４　　　　　　　洗濯物覆い用カバー
５　　　　　　　カバー部
５ａ　　　　　　洗濯物を後方から覆う部分
６　　　　　　　カバー部
７　　　　　　　切り離し部
８　　　　　　　支持部
９　　　　　　　ファスナー
１０　　　　　　　空気孔
１１，１２　　　　ホック
１１ａ，１１ｂ　　ホック
１３　　　　　　　ハンガー
【図１】
2004016531.tif 000003
【図２】
2004016531.tif 000004
【図３】
2004016531.tif 000005
【図４】
2004016531.tif 000006
【図５】
2004016531.tif 000007
【図６】
2004016531.tif 000008
【図７】
2004016531.tif 000009
【図８】
2004016531.tif 000010
【図９】
2004016531.tif 000011